(57)【特許請求の範囲】
【請求項１】
カッターホルダと、該カッターホルダの回転軸（３１）の自由端においてカッターホルダに取付けたカッター（３２）とから成り、カッターを締付け部材によりカッターホルダの軸端上の所定位置に支持可能とした切削機械加工用工具、特に中ぐり旋盤加工用工具において、カッター（３２）をほぼ円形の主要部分（３３）と、刃先（３５）を支持している半径方向に延伸する突出部分（３４）とから構成し、主要部分（３３）には中心軸線から半径方向に偏心的に配置した位置、即ち突出部分（３４）を有する側から半径方向に離れるように変位した位置に配置させかつ締付け部材のねじ頭部よりも大きい直径を有するほぼ円形の孔部分（３７）と、該孔部分（３７）と一体的で中心に配置させると共に締付け部材のねじ軸の直径より大きくかつねじ頭部の直径よりも小さい直径を有する孔部分（３８）とを有する縦長孔を備え、該縦長孔の中心の孔部分（３８）を該孔部分に関して同中心的に配置した皿穴部分（３９）により包囲し、該皿穴部分（３９）を偏心の孔部分（３７）の端部で終端させると共に中心の孔部分（３８）のまわりにステップ状端縁を形成し、回転軸（３１）に対面するカッター（３２）の表面には小さい孔部分（３８）の大部分を包囲しかつ他方の大きい孔部分（３７）で終端する中央の平面部分（４０）を備え、該平面部分（４０）の半径方向の外面には円錐形状面（４１）を配置させ、円錐形状面（４１）を大きい孔部分により交差させ、中央の平面部分（４０）と一体的である同じ平面の外側対向側面を円錐形状面（４１）にわたって突出部分（３４）の刃先（３５）の方向に延伸させることによりヒール部分（４２）を形成し、回転軸（３２）の端面には平らな環状面（４４）により包囲されている中央のねじ孔（４３）を備え、該環状面（４４）を円錐面（４５）により包囲し、該円錐面（４５）をカッターを安定させるためにヒール部分（４２）を収容するようにした半径方向の溝（４６）により遮断させ、締付け部材を回転軸（３１）から取り外すことなくカッター（３２）の大きい孔部分（３７）と小さい孔部分（３８）とを介してカッター（３２）を横方向に移動させることにより回転軸（３１）に着脱可能にさせたことを特徴とする工具。
【発明の詳細な説明】
【０００１】
【産業上の利用分野】
本発明は切削機械加工用工具、特に制限された間隙内、例えば孔の内側を旋盤加工するか又は管状被加工材の管状内を旋盤加工するための中ぐり旋盤加工用工具に関するものである。
【０００２】
【従来の技術】
この種の機械加工を目的とした工具はすでに公知であり、一般的には軸の端部にねじ接続によって取付けるか、又は孔や管に挿入させることができる硬質合金又は炭化物材料のカッターから構成され、この種の機械加工用工具の場合に、摩耗したカッターを取外すため、又は新しいカッターを取付けるためにはカッターを通して螺入されたねじを完全に緩めて取外すことが必要であり、その後にカッターを取外すか又は取付けることができるようになっている。多くの場合にカッターは非常に小さく、そのためカッターだけでなく、ねじをも見失うことがないようにすることが必要であり、カッターを通してねじを回転軸のねじ孔に取付ける作業は非常に困難であり、それに加え、カッターを交換する面倒な作業を避けるために長期間に亘ってカッターを使用してしまう危険がある。
【０００３】
【発明の概要】
本発明の目的は切削機械加工を有効に行うことができ、カッターを確実に固定できると同時に、ねじをカッターと一緒に取外すことなくカッターそれ自体をねじとは別に取外すことによりカッターの交換を容易に行うことができる切削機械加工用工具を提供することにある。
【０００４】
本発明の基本的な概念は回転軸の端面にカッター用の座部を備え、該座部はカッターを所定位置に位置決めすると共にカッターを確実に固定し、切削機械加工中にカッターに加えられる応力を軸に有効に伝達し、回転軸には少なくとも１つの締付け可能な締付け部材を設け、締付け後にカッターと係合しそして回転軸の少なくとも１つの面に対してカッターを押圧し、締付け部材を緩めて回転軸に接触させたままでカッターを回転軸の座部から移動させることにより取外し、カッターを取付けるにはカッターを締付け部材に通して作業位置に到達させ、締め付け部材を締付けることによりカッターを固定できるようになっている。
【０００５】
本発明はカッターをほぼ円形の主要部分と、刃先を支持している半径方向に延伸する突出部分とから構成し、主要部分には中心軸線から半径方向に偏心的に配置させたほぼ円形の孔部分と、該孔部分に連結させかつ中心軸線を中心に配置させると共に前記孔部分よりも小さい直径を有する孔部分とを備え、小さい孔部分を該孔部分に関して同中心的に配置した皿穴部分により包囲し、回転軸に対面するカッターの表面には小さい孔部分を包囲しかつ他方の大きい孔部分で終端する中央平面部分を備え、該平面部分の半径方向の外側には円錐形状面を配置させ、中央平面部分と連結しかつ同じ平面の外側対向側面のヒール部分を円錐形状面に亘って突出部分の刃先の方向に延伸させ、カッターに対面する回転軸の端面には平らな環状面により包囲されている中心のねじ孔を備え、該環状面を円錐面により包囲し、該円錐面をカッターを安定させるためにヒール部分を収容するようにした半径方向の溝により遮断させたことを特徴とするものである。
【０００６】
【発明の実施するための最良の形態】
本実施例においては簡単な取扱いによりカッターの交換を容易に行うことができ、前述した従来技術のものと比較してその構造が簡単であって、嵩ばることがない。
【０００７】
本発明による工具は工具ホルダの回転軸の直径よりも多少大きな直径を有する孔を機械加工するために使用することができる。
【０００８】
符号３２で示したカッターは事実上円形状の主要部分３３と軸線方向に偏心させた事実上半径方向に延伸する突出部分３４とから成り、該突出部分３４は刃先３５を支持している。符号３１で示した回転軸から外側に対面する側部３６は縦長孔を有し、該縦長孔は半径方向に偏心した位置、即ち突出部３４を有する側部から半径方向に離れるように偏位した位置に配置されたほぼ円形の孔部分３７と、該孔部分３７と一体的であって、中心に位置しているけれど同様の縦長孔でありかつ該孔部分３７よりも直径、即ち表面積が小さい孔部分３８とを備え、大きい孔部分３７はねじの頭部よりも大きい直径を有し、小さい孔部分３８はねじの頭部よりも小さい直径を有している。該孔部分３８は孔部分３８のまわりに同中心的に配置された皿穴部分３９により包囲され、該皿穴部分３９は孔部分３７の前端まで延伸している。皿穴部分３９は中心に配置された孔部分３８のまわりにステップ状端縁を形成する。
【０００９】
回転軸３１に向かって対面している側面は図１、２、４及び５に示した通り平面部分４０を有し、該平面部分４０は中心の孔部分３８の大部分を包囲し、そうすることにより別の孔部分３７において終端している。平面部分４０の外側には円錐形テーパー部分４１が半径方向に配置され、円錐形テーパー部分４１は１４０度の頂角を有し、大きな孔部分３７と交差している。中心の平面部分４０と同じ平面で位置する外側対向側部のヒール部分４２は突起部３４と刃先３５の方向に傾斜部分４１中に延伸している。従ってヒール部分４２は図５の右側から明らかな通りほぼ平行な三角形状側面を有する。
【００１０】
カッター３２用の回転軸３１の端部分は嵌合形式に形成されかつ平らな環状面４４により包囲されている中心ねじ孔４３を有し、該環状面４４には環状面を包囲している円錐面４５が接続されている。円錐面４５は溝４６により遮断され、溝４６はヒール部分４２の形状に適合させるように外側に向けて深さを増大させてある。
【００１１】
締付け部材はねじ孔４３に螺入させるねじ山軸を有するねじから構成されている。カッター３２を回転軸３１に取付ける場合には、大きい孔部分３７をねじの頭部に通してカッター３２をねじに導入することができるに十分な距離まで、即ちカッターを横方向移動位置でずらすことができるに十分な距離までねじを緩めることが必要である。ねじの軸が小さい孔部分３８中に入るようにカッター３２を移動させることによりカッターを回転軸の端部で中心に位置決めし、同時にヒール部分４２を溝４６に嵌合させ、それによりカッターが軸を中心に回転するのを阻止するような方法でカッターを位置決めする。カッターが上述した所定の位置に達した時にねじを締付ける。カッターの取外しは逆の順序で行うことができる。
【００１２】
平面と円錐形状面との間の相互作用及びヒール部分４２による回転に対する安定性はカッターが安定できる態様で固定されかつ望ましい力の分配が得られることを意味する。
【図面の簡単な説明】
【図１】回転軸に対面する側から見たカッターの平面図である。
【図２】刃先が突出している側から見た図１に示したカッターの側面図である。
【図３】外側に対面している側から見た図１に示したカッターの背面図である。
【図４】図３のＡ−Ａ線に沿う断面図である。
【図５】図３のＢ−Ｂ線に沿う断面図である。
【符号の説明】
３１      回転軸
３２      カッター
３３      主要部分
３４      突出部分
３５      刃先
３６      側部
３７      孔部分
３８      孔部分
３９      皿穴部分
４０      平面部分
４１      円錐形状面
４２      ヒール部分
４３      ねじ孔
４４      環状面
４５      円錐面
４６      溝
【図１】
0003579016.tif 000002
【図２】
0003579016.tif 000003
【図３】
0003579016.tif 000004
【図４】
0003579016.tif 000005
【図５】
0003579016.tif 000006